(57)【要約】【課題】  密閉容器を小型化して圧縮機を一層コンパクトに構成するとともに、圧縮機の設計を多様化するリニア圧縮機を提供する。【解決手段】  リニア圧縮機は、吸入口及び吐出口が形成された密閉容器と、密閉容器の内部に固定されて直線運動力を発生するリニアモータと、密閉容器の内部の吐出口側に固定されたシリンダーと、密閉容器の外部の吐出口の前方に設置されかつシリンダー内で圧縮された流体が吐出される吐出部アセンブリーと、リニアモータに連結されかつシリンダーの内部で直線往復運動しながらシリンダー内に吸入された流体を圧縮するピストンと、密閉容器の内部に支持された状態でピストンの前後面側にそれぞれ連結されかつピストンの往復運動時に加振されるように弾性力を提供する主ばねと、密閉容器の外部に位置しかつ密閉容器を緩衝自在に支持する緩衝支持手段とを含む。【選択図】      図２
2005195022.tif 000002
【特許請求の範囲】
【請求項１】
吸入口及び吐出口が形成された密閉容器と、
前記密閉容器の内部に固定されて直線運動力を発生するリニアモータと、
前記密閉容器の内部の吐出口側に固定されたシリンダーと、
前記密閉容器の外部で吐出口前方に設置され、かつ前記シリンダー内で圧縮された流体が吐出される吐出部アセンブリーと、
前記リニアモータに連結され、かつ前記シリンダーの内部で直線往復運動しながらシリンダー内に吸入された流体を圧縮するピストンと、
前記密閉容器の内部に支持された状態で前記ピストンの前後面側にそれぞれ連結され、かつピストンの往復運動時に加振されるように弾性力を提供する主ばねと、
前記密閉容器の外部に位置決めされ、かつ前記密閉容器を緩衝自在に支持する緩衝支持手段と、
を含むことを特徴とするリニア圧縮機。
【請求項２】
前記緩衝支持手段は、前記密閉容器の外部で前記密閉容器を支持する容器支持台と、前記容器支持台と前記密閉容器との間に設置されて緩衝作用を行う緩衝手段と、を含むことを特徴とする請求項１記載のリニア圧縮機。
【請求項３】
前記緩衝手段は、前記リニアモータの運動方向の振動を吸収するように、前記密閉容器の前面及び後面側にそれぞれ設置されていることを特徴とする請求項２記載のリニア圧縮機。
【請求項４】
前記容器支持台は、水平位置の水平支持台と、前記水平支持台の両側から垂直に立てられて前記緩衝手段を支持する垂直支持台と、から構成されたことを特徴とする請求項３記載のリニア圧縮機。
【請求項５】
前記緩衝手段は、前記リニアモータの運動方向及び前記密閉容器の半径方向の振動を吸収するように、前記密閉容器の前後面及び前記密閉容器の周囲の両側にそれぞれ設置されていることを特徴とする請求項２記載のリニア圧縮機。
【請求項６】
前記緩衝手段は、前記密閉容器の前後面にそれぞれ設置された緩衝ばねと、前記密閉容器の上下側にそれぞれ設置された防振部材と、から構成されていることを特徴とする請求項５記載のリニア圧縮機。
【請求項７】
前記密閉容器の後面に位置する吸入口には吸入パイプが貫通設置され、かつ前記密閉容器の前面には前記吐出部アセンブリーが設置され、
前記密閉容器の吸入口の周辺及び吐出部アセンブリーには、前記緩衝手段が装着されたばね座部が形成されていることを特徴とする請求項２記載のリニア圧縮機。
【請求項８】
前記吐出部アセンブリーは、前記密閉容器の外部に固定されて前記吐出口を通して吐出された流体を緩衝する吐出カバーと、前記吐出カバー内により前記吐出口を開閉する吐出バルブと、前記吐出カバーに支持されて前記吐出バルブに弾性力を提供する吐出ばねと、から構成されたことを特徴とする請求項１記載のリニア圧縮機。
【請求項９】
前記密閉容器の吐出口側には、前記シリンダーと密閉容器との間及び前記吐出カバーと密閉容器との間に密封手段がそれぞれ設置されていることを特徴とする請求項８記載のリニア圧縮機。
【請求項１０】
両側には吸入口及び吐出口が形成され、内部にはリニアモータによってシリンダーの内部でピストンが直線往復運動しながら流体を圧縮及び吐出する圧縮機構が設けられた密閉容器と、
前記密閉容器の外部の吐出口前方に設置され、かつ前記シリンダー内で圧縮された流体が吐出される吐出部アセンブリーと、
前記密閉容器の外部で前記密閉容器を支持する容器支持台と、
前記容器支持台と前記密閉容器との間に設置されて緩衝作用を行う緩衝手段と、を含むことを特徴とするリニア圧縮機。
【発明の詳細な説明】
【技術分野】
【０００１】
本発明は、リニア圧縮機に関し、詳しくは、一部の部品を密閉容器の外部に配置することによって密閉容器の寸法を縮小して一層コンパクトに構成できるリニア圧縮機に関する。
【背景技術】
【０００２】
一般に、リニア圧縮機は、リニアモータの直線駆動力によりシリンダーの内部でピストンを直線往復運動させて流体を吸入、圧縮及び吐出する機器である。
【０００３】
図１は、従来のリニア圧縮機を示した縦断面図である。
図１に示すように、従来のリニア圧縮機の密閉容器１０の内部には、シリンダー１３を具備するシリンダーブロック１２と、流体吸入口１６を有するバックカバー１５と、が備わり、これらのシリンダーブロック１２及びバックカバー１５は、密閉容器１０内で第１ダンパー１７及び第２ダンパー１８により緩衝自在に支持される。
【０００４】
また、前記シリンダーブロック１２とバックカバー１５との間には、流体を圧縮するために駆動力を発生するリニアモータ２０が配置される。このリニアモータ２０には、前記シリンダー１３の内部で直線往復運動することにより前記シリンダー１３の内部に吸入された流体を圧縮するピストン３０が連結される。
【０００５】
ここで、前記リニアモータ２０は固定子及び可動子により構成されるが、固定子は、積層体からなるアウターコア２１と、積層体からなるとともに前記アウターコア２１と所定の空隙を有して配置されるインナーコア２２と、前記アウターコア２１に装着されて磁場を形成するコイル２３と、から構成される。
【０００６】
また、可動子は、前記アウターコア２１とインナーコア２２との間に位置決めされ、前記コイル２３の周辺に形成された磁気力により直線移動するマグネット２５と、前記マグネット２５及びピストン３０を固定し、かつ前記ピストン３０に直線運動力を伝達するマグネットフレーム２７と、から構成される。
【０００７】
また、前記ピストン３０は、前記マグネットフレーム２７に固定されるフランジ部３２が後部に形成され、かつ前記フランジ部３２とシリンダーブロック１２との間に配置された第１ばね２８と、前記フランジ部３２とバックカバー１５との間に配置された第２ばね２９と、により弾性的に支持される。
【０００８】
また、前記ピストン３０は、その内部に流体が流入される吸入流路３３を形成し、閉鎖構造となる前面に複数個の吸入口３４が形成される。また、前記ピストン３０の前面には、前記吸入口３４を開閉する吸入バルブ３５が装備されるが、前記吸入バルブ３５は、前記ピストン３０にボルトで固定されたバルブ板３６が両側の圧力差によって弾性的に曲がることにより、前記吸入口３４を開閉するようになっている。
【０００９】
また、吐出部４０は、前記シリンダー１３の圧縮室Ｃの前方でシリンダーブロック１２に固定され、かつ一側に流体吐出ホールが形成された内側吐出カバー４１と、前記内側吐出カバー４１にばね４３で支持されて前記シリンダー１３の圧縮室Ｃを開閉するバルブ体４５と、前記内側吐出カバー４１の外側に所定空間を形成して配置された外側吐出カバー４７と、から構成される。
【００１０】
一方、図１の参照符号１は、前記密閉容器１０に貫通連結され、かつ外部からの流体が吸入される吸入連結パイプであり、参照符号２は、前記吐出部４０の外側吐出カバー４７に連結され、かつ吐出部４０を通過した流体が吐出される吐出パイプであり、参照符号４は、前記吐出パイプ４に一端が連結されたループパイプであり、参照符号６は、前記ループパイプ４に一端が連結され、かつ前記密閉容器１０を貫通して外部に延長された吐出連結パイプである。
【００１１】
以下、このように構成された従来のリニア圧縮機の動作を説明する。
まず、前記リニアモータ２０が作動すると、マグネット２５が前記コイル２３の周辺の磁場と相互作用することで直線往復運動し、この運動力はマグネットフレーム２７を通してピストン３０に伝達され、かつ前記ピストン３０は前記吐出部４０のバルブ体４５とバックカバー１５との間で連続的に直線往復運動をする。
【００１２】
次に、前記ピストン３０が前記吐出部４０側に前進されると、前記吸入バルブ３５は前記吸入流路３３と圧縮室Ｃとの圧力差により閉鎖され、前記圧縮室Ｃの内部の流体は圧縮後に吐出部４０を通して吐出され、かつ前記バックカバー１５の外側の流体は前記バックカバー１５の吸入口１６を通して吸入される。
【００１３】
その反対に、前記ピストン３０が後退すると、前記吸入流路３３と圧縮室Ｃとの間の圧力差により前記吸入バルブ３５が開放され、このとき、ピストン３０の吸入流路３３内の流体は吸入口３４を通して圧縮室Ｃの内部に流入する。その後、ピストン３０が前進すると、前記したように、圧縮室Ｃ内の流体が圧縮された後に、吐出される過程が反復される。
【００１４】
しかしながら、従来のリニア圧縮機は、密閉容器１０の内部に、流体を圧縮するための運動部品だけでなく、これを支持して振動を低減する部品をも構成するため、圧縮機を小型化するのに限界があり、かつ圧縮機の設計自由度も低下する、という問題点があった。
【発明の開示】
【発明が解決しようとする課題】
【００１５】
本発明は、従来の問題点を解決するためになされたもので、吐出部及び振動吸収部品を密閉容器の外部に構成することで、密閉容器を小型化して一層コンパクトに圧縮機を構成するとともに、圧縮機の設計構成も一層多様に行えるリニア圧縮機を提供することを目的とする。
【課題を解決するための手段】
【００１６】
本発明のリニア圧縮機は、吸入口及び吐出口が形成された密閉容器と、前記密閉容器の内部に固定されて直線運動力を発生するリニアモータと、前記密閉容器の内部で吐出口側に固定されたシリンダーと、前記密閉容器の外部で吐出口前方に設置され、かつ前記シリンダー内で圧縮された流体が吐出される吐出部アセンブリーと、前記リニアモータに連結され、かつ前記シリンダーの内部で直線往復運動しながらシリンダー内に吸入された流体を圧縮するピストンと、前記密閉容器の内部に支持された状態で前記ピストンの前後面側にそれぞれ連結され、かつピストンの往復運動時に加振されるように弾性力を提供する主ばねと、前記密閉容器の外部に位置決めされ、かつ前記密閉容器を緩衝自在に支持する緩衝支持手段と、を含むことを特徴とする。
【００１７】
好適形態において、前記緩衝支持手段は、前記密閉容器の外部で前記密閉容器を支持する容器支持台と、前記容器支持台と前記密閉容器との間に設置されて緩衝作用を行う緩衝手段と、を含む。
【００１８】
好適形態において、前記密閉容器の後面に位置する吸入口には吸入パイプが貫通設置され、前記密閉容器の前面には前記吐出部アセンブリーが設置され、かつ前記密閉容器の吸入口の周辺及び吐出部アセンブリーには、前記緩衝手段が装着されたばね座部が形成される。
好適形態において、前記吐出部アセンブリーは、前記密閉容器の外部に固定されて前記吐出口を通して吐出された流体を緩衝する吐出カバーと、前記吐出カバー内で前記吐出口を開閉する吐出バルブと、前記吐出カバーに支持されて前記吐出バルブに弾性力を提供する吐出ばねと、から構成される。
【００１９】
好適形態において、前記密閉容器の吐出口側には、前記シリンダーと密閉容器との間及び前記吐出カバーと密閉容器との間に密封手段がそれぞれ設けられている。
【００２０】
前記ピストンの後方にはばね支持体が設置され、かつ前記ばね支持体の前面及び後面には前記主ばねが設置される。
【００２１】
好適形態において、前記密閉容器の内部には、前記主ばねの一方端を支持するばね支持ブロックが設けられる。
【００２２】
好適形態において、前記ピストンの後方には、吸入騷音を低減する消音器が設けられる。
【００２３】
本発明の一実施形態によると、前記緩衝手段は、前記リニアモータの運動方向の振動を吸収するように前記密閉容器の前面及び後面側にそれぞれ設置される。前記容器支持台は、水平位置の水平支持台と、前記水平支持台の両側から垂直に立てられて前記緩衝手段を支持する垂直支持台と、から構成される。
【００２４】
本発明の他の実施形態によると、前記緩衝手段は、前記リニアモータの運動方向及び前記密閉容器の半径方向の振動を吸収するように、前記密閉容器の前後面及び前記密閉容器の周囲の両側にそれぞれ設置される。前記緩衝手段は、前記密閉容器の前後面にそれぞれ設けられる緩衝ばねと、前記密閉容器の上側及び下側にそれぞれ設けられる防振部材と、から構成される。
【００２５】
また、上述の目的を達成するために、本発明のリニア圧縮機の両側には、吸入口及び吐出口が形成され、内部には、リニアモータによりシリンダーの内部でピストンが直線往復運動しながら流体を圧縮及び吐出する圧縮機構を具備する密閉容器と、前記密閉容器の外部の吐出口前方に設置され、かつ前記シリンダー内で圧縮された流体が吐出される吐出部アセンブリーと、前記密閉容器の外部で前記密閉容器を支持する容器支持台と、前記容器支持台と前記密閉容器との間に設置されて緩衝作用を行う緩衝手段と、を含むことを特徴とする。
【発明の効果】
【００２６】
本発明のリニア圧縮機は、吐出部アセンブリー及び緩衝支持機構などが密閉容器の外部に構成されるため、密閉容器を小型化して一層コンパクトに圧縮機を構成するとともに、圧縮機の設計構成も一層多様に行える、という効果がある。
【００２７】
また、本発明の密閉容器の支持構造によると、リニアモータの運動方向の振動、密閉容器の半径方向及び回転方向の振動を吸収するように構成されるため、コンパクトに構成された密閉容器の緩衝支持性能も向上できる、という効果がある。
【発明を実施するための最良の形態】
【００２８】
以下、添付された図面を参照しつつ、本発明によるリニア圧縮機の実施形態を説明する。
図２は、本発明によるリニア圧縮機を示した縦断面図である。
本発明によるリニア圧縮機は、図２に示すように、吸入口５１及び吐出口５３がそれぞれ形成された密閉容器５０と、前記密閉容器５０の内部に固定されて直線運動力を発生するリニアモータ６０と、前記密閉容器５０の内部で吐出口５３側に固定されたシリンダー８０と、前記密閉容器５０の外部で吐出口５３の前方に設置され、かつ前記シリンダー８０内で圧縮された流体が吐出される吐出部アセンブリー８２と、前記リニアモータ６０に連結され、かつ前記シリンダー８０の内部で直線往復運動することによりシリンダー内に吸入された流体を圧縮するピストン７０と、前記密閉容器５０の内部に支持された状態で、前記ピストン７０の前後面側にそれぞれ連結され、かつピストンの往復運動時にその往復運動力が加振されるように弾性力を提供する主ばね６８，６９と、前記密閉容器５０の外部に位置決めされ、かつ前記密閉容器５０を緩衝自在に支持する緩衝支持手段としての緩衝支持機構９０と、から構成される。
【００２９】
また、前記密閉容器５０は、円筒状に形成されており、その後面に位置する吸入口５１には吸入パイプ７７が貫通設置され、かつその前面には前記吐出部アセンブリー８２が設置される。
【００３０】
また、前記リニアモータ６０は固定子及び可動子により構成されるが、固定子は、積層体からなるアウターコア６１と、積層体からなるとともに、前記アウターコア６１と所定の空隙を有して配置されるインナーコア６２と、前記アウターコア６１に装着されて磁場を形成するコイル６３と、から構成される。また、前記可動子は、前記アウターコア６１とインナーコア６２との間に位置決めされ、かつ前記コイル６３の周辺に形成された磁気力により直線移動するマグネット６５と、前記マグネット６５及びピストン７０を固定し、かつ前記ピストン７０に直線運動力を伝達するマグネットフレーム６６と、から構成される。
【００３１】
また、前記ピストン７０の後方には前記マグネットフレーム６６に固定されるフランジ部７２が形成され、このフランジ部７２にはばね支持体６７が設置され、このばね支持体６７の前面及び後面に設置された両側の主ばね６８，６９は、前記ピストン７０の両側に連続的加振弾性力を提供する。
【００３２】
一方、前記密閉容器５０の内部には、前記各主ばね６８，６９の一方端を支持するばね支持ブロック５５，５６がそれぞれ設置される。
【００３３】
また、前記ピストン７０の後方には、前記吸入パイプ７７に連結されて吸入騷音を低減する消音器７８が設置される。
【００３４】
また、前記ピストン７０の前面には、複数個の吸入口７４と、これらの吸入口７４を開閉する吸入バルブ７５と、が設置される。
【００３５】
また、前記吐出部アセンブリー８２は、前記密閉容器５０の外部にボルト組立てにより固定され、前記吐出口５３を通して吐出された流体を緩衝して吐出パイプ８６を通して流体を吐出させる吐出カバー８３と、この吐出カバー８３内でシリンダー８０の出口に密着して前記吐出口５３を開閉する吐出バルブ８４と、前記吐出カバー８３に支持された状態で、前記吐出バルブ８４に弾性力を提供する吐出ばね８５と、から構成される。
【００３６】
以下、前記吐出部アセンブリー８２の密閉構造を、図３に基づいて説明すると、前記密閉容器５０の吐出口５３側には、前記密閉容器５０の内外部の漏洩を防止するように、前記密閉容器５０の吐出口５３とシリンダー８０との間、そして、前記密閉容器５０の外側面と吐出カバー８３のフランジ部との間に密封手段をそれぞれ備えた２重密閉構造を有する。
【００３７】
すなわち、前記密閉容器５０の内側段差溝部５２とシリンダー５０の拡張部８１との間には円板リング構造のガスケット８７が設置され、かつ前記密閉容器５０のリング溝５４と前記吐出カバー８３のフランジ部との間にはＯリング８８が設置される。
【００３８】
以下、このように構成される本発明による密閉容器５０の支持構造を、図４乃至図６に基づいて説明する。
まず、図４に基づいて、第１実施形態の密閉容器５０の支持構造を説明すると、前記緩衝支持機構９０は、前記密閉容器５０の外部で前記密閉容器５０を支持する‘コ’の字状の容器支持台９１と、前記容器支持台９１と前記密閉容器５０の前後面との間に設置されて緩衝作用を行う緩衝手段として緩衝ばね９５，９６と、から構成される。
【００３９】
ここで、前記容器支持台９１は、水平方向に位置する水平支持台９２と、前記水平支持台９２の両側から垂直に立てられて前記緩衝ばね９５，９６を支持する垂直支持台９３と、から構成される。
【００４０】
また、前記緩衝ばね９５，９６は、前記リニアモータ６０及びピストン７０の運動方向に発生する振動を吸収するように、前記密閉容器５０の前後面にそれぞれ設置される。ここで、複数個の前記緩衝ばね９５，９６は、前記密閉容器５０の前面及び後面にそれぞれ設置される。
【００４１】
このような前記緩衝ばね９５，９６を設置するために、図２に示すように、前記密閉容器５０の吸入口５１の周辺及び吐出部アセンブリー８２の吐出カバー８３には、前記緩衝ばね９５，９６が装着されたばね座部５７，８３aが形成され、前記容器支持台９１の垂直支持台９３の開放構造となった部分の周囲には、前記緩衝ばね９５，９６が装着されたばね座部９３aがそれぞれ形成される。
【００４２】
次に、図５に基づいて、第２実施形態の密閉容器５０の支持構造を説明すると、前述した第１実施形態の支持構造は前記リニアモータ６０の運動方向の振動を吸収するように前記密閉容器５０の前後面のみに緩衝ばね９５，９６が設置されるのに対し、図５に示した第２実施形態では、前記密閉容器５０の半径方向の振動を吸収するように、前記密閉容器５０の周囲の両側に防振部材９７，９８が設置される。
【００４３】
ここで、前記防振部材９７，９８は、防振機能を有するばねまたはスポンジなどにより構成され、前記密閉容器５０の上側及び下側に設置されることが好ましい。
【００４４】
このような防振部材９７，９８を支持するための容器支持台９１は、前記密閉容器５０の上側及び下側から前記防振部材９７，９８を水平に支持する水平支持台９２a，９２bと、前記水平支持台９２a，９２bの両側に垂直に連結されて前記緩衝ばね９５，９６を支持する垂直支持台９３と、から構成される。
【００４５】
このような第２実施形態の支持構造は、前記緩衝ばね９５，９６及び防振部材９７，９８により、リニアモータの運動方向の振動だけでなく、密閉容器の半径方向の振動をも吸収するようになる。
【００４６】
次に、第３実施形態の密閉容器５０の支持構造を、図６に基づいて説明すると、前述した第１、２実施形態の支持構造は、前記密閉容器５０のリニアモータ６０の運動方向の振動を吸収する緩衝ばね９５，９６が密閉容器の両側に一つずつ備わった例を示しているが、第３実施形態では、前記密閉容器５０の前面及び後面のうち少なくとも何れか一つに、複数個の緩衝ばね９５’，９６’が設置される。
【００４７】
ここで、前記複数個の緩衝ばね９５’，９６’は、前記密閉容器５０の両側にそれぞれ３個ずつ１２０度の角度で三脚構造で設置されることが好ましく、容器支持台９１の構成は、前述した第１実施形態の構成と同一であり、本実施形態では、圧縮機が垂直に立てられた構成を例示している。
【００４８】
このような第３実施形態の密閉容器５０の支持構造によると、リニアモータ６０の運動方向の振動だけでなく、密閉容器５０自体の回転方向の振動をも低減することができる。
【００４９】
以下、このように構成される本発明によるリニア圧縮機の作用を説明する。
まず、リニアモータ６０が作動すると、マグネット６５が前記コイル６３の周辺の磁場と相互作用することにより直線往復運動をし、この運動力は、マグネットフレーム６６を通してピストン７０に伝達され、このピストン７０は、前記シリンダー８０の内部で連続的に直線往復運動することによりシリンダー８０の内部に吸入された流体を圧縮及び吐出する。
【００５０】
すなわち、前記ピストン７０が前記吐出部アセンブリー８２側に前進すると、前記吸入バルブ７５が閉鎖されることによって前記シリンダー８０内部の流体が圧縮されるが、この圧縮力によって吐出バルブ８４が開放されるので、吐出カバー８３及び吐出パイプ８６を通して流体が外部に排出される。
【００５１】
また、前記ピストン７０が後退すると、前記吸入バルブ７５が開放することによりピストン７０の内部に流入された流体が吸入口７４を通してシリンダー８０の内部に流入する。その後、ピストン７０が前進すると、前記したように、シリンダー８０内の流体が圧縮された後、吐出される過程が反復される。
【００５２】
一方、前記密閉容器５０の吐出口５３側にガスケット８７及びＯリング８８が２重密閉構造で設置されるので、前記密閉容器５０の外部に別途の外郭ケースが備わっていない場合も、冷媒ガスなどの流体の漏洩を確実に防止することができる。
【００５３】
また、前記緩衝支持機構９０は、前記密閉容器５０の外部に配置され、圧縮機の作動時、リニアモータ６０及びピストン７０の運動方向の振動、ならびに密閉容器５０の半径方向及び回転方向の振動を吸収するように構成されるので、充分な緩衝支持構造を確保しつつ密閉容器５０の内部構造を簡単にして、一層コンパクトに圧縮機を構成することができる。
【図面の簡単な説明】
【００５４】
【図１】従来のリニア圧縮機を示した縦断面図である。
【図２】本発明によるリニア圧縮機を示した縦断面図である。
【図３】本発明によるリニア圧縮機の吐出部の密閉構造を示した詳細図である。
【図４】本発明によるリニア圧縮機の第１実施形態の支持構造を示した概略図である。
【図５】本発明によるリニア圧縮機の第２実施形態の支持構造を示した概略図である。
【図６】本発明によるリニア圧縮機の第３実施形態の支持構造を示した概略図である。
【符号の説明】
【００５５】
５０    密閉容器
５１    吸入口
５２    段差溝部
５３    吐出口
５４    リング溝
５５，５６    ばね支持ブロック
５７    ばね座
６０    リニアモータ
６５    マグネット
６６    マグネットフレーム
６７    ばね支持体
６８，６９    主ばね
７０    ピストン
７２    フランジ部
７４    吸入口
７５    吸入バルブ
７７    吸入パイプ
７８    消音器
８０    シリンダー
８２    吐出部アセンブリー
８３    吐出カバー
８４    吐出バルブ
８５    吐出ばね
８６    吐出パイプ
８７    ガスケット
８８    Ｏリング
９０    緩衝支持機構
９１    容器支持台
９２    水平支持台
９３    垂直支持台
９５，９５’，９６，９６’    緩衝ばね
９７，９８    防振部材
【図１】
2005195022.tif 000003
【図２】
2005195022.tif 000004
【図３】
2005195022.tif 000005
【図４】
2005195022.tif 000006
【図５】
2005195022.tif 000007
【図６】
2005195022.tif 000008